(57)【特許請求の範囲】
【請求項１】
先端一側に切り欠き部を有するカードが挿入されるハウジング内の一側に、前記カードの切り欠き部に嵌り込む張り出し部を有するカード挿抜方向に移動可能なスライド部材を備え、前記カードが表裏逆に誤挿入され、前記ハウジング内の前記スライド部材と反対側に位置する前記カードの切り欠き部によって作られる隙間をなくすように前記カードが傾いた場合に、前記カードの切り欠き部を有する一側面と、前記カードの先端面とによって作られた前記カードの角部と係合して前記カードの挿入を阻止する誤挿入防止手段を設け、前記誤挿入防止手段は、前記ハウジングの前記スライド部材と反対側の側面部におけるカード挿入口側に寄った位置に開設され、前記カードの前記角部が嵌り込む貫通孔でなることを特徴とするカードコネクタ。
【請求項２】
前記貫通孔を設ける前記ハウジングの前記スライド部材と反対側の側面部は、樹脂製のハウジング本体に被着する金属製のカバーで形成した請求項１に記載のカードコネクタ。
【発明の詳細な説明】
【技術分野】
【０００１】
本発明は、主に携帯電話機等の小型電子機器に装備されるカードコネクタに関する。
【背景技術】
【０００２】
従来、先端一側に切り欠き部を有するメモリーカード用のプッシュ／プッシュ型のイジェクト機構付きのカードコネクタがある。このカードコネクタは、カードが挿入されるハウジング内の一側に、カードの切り欠き部に嵌り込む張り出し部を有するカード挿抜方向に移動可能なスライド部材を備えている。そして、カードが正規挿入された場合、カードの切り欠き部にスライド部材の張り出し部が嵌り込むことにより、カードは先端部がスライド部材の張り出し部とハウジングのスライド部材と反対側の側面部との間に嵌り込んだ状態でスライド部材を押し込むので、所定の装着位置まで挿入することができる。一方、カードが前後逆又は表裏逆に誤挿入された場合、カードの先端部の切り欠き部の側の角部以外の角部がスライド部材の張り出し部と干渉することにより、カードは先端部がスライド部材の張り出し部とハウジングのスライド部材と反対側の側面部との間に嵌り込まない状態でスライド部材を押し込むので、所定の装着位置まで挿入することができない（例えば、「特許文献１」の段落００１９、００２０、図９、図１０等参照）。
【特許文献１】特開２００５−１００８３６号公報
【発明の開示】
【発明が解決しようとする課題】
【０００３】
ところで、カードが表裏逆に誤挿入されると、ハウジング内のスライド部材と反対側に位置するカードの切り欠き部によって作られる隙間をなくすようにカードが傾くことがよくあり、この場合、カードが傾いた瞬間にカードの挿入（押し込み）を止めれば問題はないが、そのようなことは困難であり、カードは傾いた状態でそのまま挿入されるために、カードの先端部の切り欠き部の側の角部がハウジングのスライド部材と反対側の側面部に押し当てられ、またカードの切り欠き部と反対側の側面部がハウジングのカード挿入口のスライド部材の側の開口側縁に押し当てられた状態で、カードがハウジングに噛み込んでしまう。場合によっては、カードの切り欠き部の側の側面部までハウジングのカード挿入口のスライド部材と反対側の開口側縁に押し当てられ、カードがハウジングのカード挿入口でも噛み込んでしまう。この場合、カードやカードコネクタにダメージを与えるだけでなく、小さなカードになるとハウジングからの出代面積も小さいためにハウジングに噛み込むと引っ張り出すことが非常に困難になってしまう。
【０００４】
本発明の解決しようよする課題は、上記従来の誤挿入防止手段では、カードがハウジングに誤挿入された場合、このカードの装着位置までの挿入を阻止するものであるため、カードの挿入初期にカードが傾いてハウジングに噛み込んでしまうような誤挿入までは防止できない点にある。
【課題を解決するための手段】
【０００５】
上記課題を解決するために本発明の請求項１に係る発明は、先端一側に切り欠き部を有するカードが挿入されるハウジング内の一側に、前記カードの切り欠き部に嵌り込む張り出し部を有するカード挿抜方向に移動可能なスライド部材を備え、前記カードが表裏逆に誤挿入され、前記ハウジング内の前記スライド部材と反対側に位置する前記カードの切り欠き部によって作られる隙間をなくすように前記カードが傾いた場合に、前記カードの切り欠き部を有する一側面と、前記カードの先端面とによって作られた前記カードの角部と係合して前記カードの挿入を阻止する誤挿入防止手段を設け、前記誤挿入防止手段は、前記ハウジングの前記スライド部材と反対側の側面部におけるカード挿入口側に寄った位置に開設され、前記カードの前記角部が嵌り込む貫通孔でなることを特徴とするものである。
【０００６】
上記構成を採用することにより、カードが表裏逆に誤挿入されて傾いた場合でも、誤挿入防止手段がカードの挿入初期にカードの挿入を阻止するので、このカードがハウジングに噛み込むのを防止することができる。
【０００７】
また、誤挿入防止手段が貫通孔でなるので、一端が閉じられた溝のように、深さが浅いと確実な係合が得られず、深さを深くして確実な係合を得るためには、ハウジングのスライド部材と反対側の側面部の厚さを厚くする必要があり、カードコネクタの大型化を招くという不都合がない。
【０００８】
本発明の請求項２に係る発明は、上記請求項１に係る発明に、前記貫通孔を設ける前記ハウジングの前記スライド部材と反対側の側面部は、樹脂製のハウジング本体に被着する金属製のカバーで形成したことを付加したものである。
【０００９】
上記構成を採用したことにより、貫通孔の開口縁、即ち金属破断面にてカードを受け止めることになり、カードを受け止める部分が小さな面積であっても、十分な強度を得ることができる。
【発明の効果】
【００１０】
本発明によれば、カードが表裏逆に誤挿入されて傾いた場合ても、このカードがハウジングに噛み込むことがなく、カードやカードコネクタに与えるダメージを最小限に抑えることができ、またこのカードをハウジングから容易に引っ張り出すことができる。
【発明を実施するための最良の形態】
【００１１】
以下、本発明の実施の形態を図面に基づいて説明する。図８は本発明の実施の形態に係るカードコネクタに使用されるメモリーカード（以下、「カード」という。）を示し、（Ａ）は表面図、（Ｂ）は側面図、（Ｃ）は裏面図である。図８に示すように、カード１は「トランスフラッシュ（登録商標）」や「マイクロＳＤカード（登録商標）」として周知のものであり、先端一側に誤挿入防止用の切り欠き部２を有すると共に、この切り欠き部２の手前側の側面部にハーフロック用の係合溝３を有している。ここで、切り欠き部２は、矩形状のカードの先端一側の角部を平坦な１面で三角形に落とすようなものではなく、矩形状のカードの先端一側を角部を含んで反対側の側面と平行な１面とこの１面と斜めに交差する１面との２面で四角形に落とすものである。これにより、カード１は切り欠き部２の側の側縁が段付き状に形成され、切り欠き部２を一側に有する先端部の幅（横幅）が、切り欠き部２より手前側の幅（横幅）よりも小さくなっている。そして、カード１の幅の小さい先端部の裏面には接続端子４が複数並設されている。
【００１２】
図１は本発明の実施の形態に係るカードコネクタの外観を示す斜視図、図２は本発明の実施の形態に係るカードコネクタの内部構造を示す断面図、図３は本発明の実施の形態に係るカードコネクタの内部構造を示す平面図である。図１〜図３に示すように、カードコネクタはカード挿入口１０を前側面部の左側に片寄せて開口し、このカード挿入口１０を通して内部に前記カード１が挿入可能な薄い四角箱状のハウジング１１を備えている。このハウジング１１は樹脂製のハウジング本体２０と、このハウジング本体２０に上方から被着する金属板製のカバー３０とで構成されている。ここで、ハウジング１１の底面部，右側面部，後側面部及びカード挿入口１０より右側の前側面部は、ハウジング本体２０に一体成型した底板部２１，右側壁部２２，後側壁部２３及び前側壁部２４により樹脂で形成され、ハウジング１１の天面部，右側面部のカバー部，左側面部は、カバー３０に一体形成した天板部３１，右側面カバー部３２，左側壁部３３により金属で形成されている。
【００１３】
ハウジング本体２０にカバー３０を位置決めするため、前記右側壁部２２の外側面及び前記底板部２１の左側端面には、カバー３０の板厚と略同じ厚さを有する張り出し部２５が設けられ、前記右側面カバー部３２及び前記左側壁部３３には、前記張り出し部２５に上方から嵌め合う下向きに開放された切り欠き部３４が設けられている。ハウジング本体２０にカバー３０を固定するため、前記右側壁部２２の外側面及び前記底板部２１の左側端面には、カバー３０の板厚と略同じ厚さで張り出す係合爪２６が設けられ、前記右側面カバー部３２及び前記左側壁部３３には、前記係合爪２６が嵌り込む貫通孔でなる係合孔３５が開設されている。前記カバー３０には前記底板部２１の裏面（下面）に略面一に露出され、機器側電子回路を構成する図示しない基板に対する半田付け用の脚部３６が複数設けられている。
【００１４】
前記ハウジング１１の内奥部には、機器側電子回路と前記カード１に内蔵される電子回路とを電気的に接続するための片持ち梁状のコンタクト４０が複数並設されている。各コンタクト４０は導電性を有する細幅の金属薄板からなり、一端側が前記底板部２１に圧入又はインサート成形により固定支持され、他端側が前記底板部２１の上側に上下に弾性変位可能に突出されている。各コンタクト４０は固定側端部が底板部２１の裏面に略面一に露出され、前記基板に対する半田付け用の脚部４１に形成され、自由側端部は前記カード１の接続端子４と接触する円弧状の接触部４２に形成されている。
【００１５】
前記ハウジング１１の内部右側には、カード挿抜方向（前後方向）に移動可能な樹脂製のスライド部材５０を備えている。このスライド部材５０は底面が前記底板部２１の表面（上面）に摺動自在に支持され、右側面が前記右側壁部２２の内側面に摺動自在に支持され、カード挿抜方向に案内されている。このスライド部材５０は前記左側壁部３３と対向する左側面に前記カード１の切り欠き２に嵌り込む張り出し部５１を有すると共に、この張り出し部５１の後端部に左側に向かってさらに張り出し、前記カード１の先端面を当接させる受け止め部５２を有している。
【００１６】
前記スライド部材５０はプッシュ／プッシュ型のイジェクト機構を構成するもので、スライド部材５０はこれと後側壁部２３の間に設けられたコイルバネ６０によりカード排出方向（前方）に常時付勢されている。スライド部材５０にはハート型のカム溝７０が形成されると共に、両端部を一方向に直角に折曲げた細長い金属棒からなり、一端側折り曲げ部をこの軸回りに左右に揺動自在に前記右側壁部２２に支持したカムピン７１の他端側折り曲げ部がスライド部材５０のカム溝７０に摺動自在に嵌め込まれている。このカムピン７１を常時下方に付勢し、一端側折り曲げ部を前記右側壁部２２の軸受け孔に、他端側折り曲げ部をカム溝７０に嵌め込み保持する板バネ７２が、前記天板部３１の一部で形成されている。スライド部材５０には片持ち梁状の板バネでなるハーフロックバネ８０が設けられている。このハーフロックバネ８０は一端側がスライド部材５０に固定支持され、他端側が前記張り出し部５１の手前側に左右方向に弾性変位可能に延出されている。ハーフロックバネ８０の自由側端部には左側に向かって張り出し、前記カード１の係合溝３に嵌り込む山形の係合部８１が形成されている。そして、プッシュ／プッシュ型のイジェクト機構は前記ハウジング１１に挿入される前記カード１に前記ハーフロックバネ８０等でなる係合部材により係合され、このカード１の挿抜方向に移動可能な前記スライド部材５０と、このスライド部材５０を常時カード排出方向に付勢する前記コイルバネ６０等でなる付勢部材と、１回目の前記カード１の押し込み操作により前記付勢部材に抗して前記スライド部材５０を前記カード１の所定の装着位置に保持するロック機能及び２回目の前記カード１の押し込み操作によりロックを解除するロック解除機能を有する前記ハート型のカム溝７０及びカムピン７１等でなるカム機構とで構成されている。このプッシュ／プッシュ型のイジェクト機構はカード１が挿入されていない場合、図３に示すように、スライド部材５０がカード排出方向の移動終端位置である初期位置に移動し、カムピン７１の他端側折り曲げ部がカム溝７０の一端側起点部７０ａに嵌り込む状態、即ち初期状態に復帰保持されている。
【００１７】
前記ハウジング１１には、カード装着状態検出スイッチを構成する固定接片９０と可動接片９３を備えている。この固定接片９０は導電性を有する金属薄板からなり、一端側が前記右側壁部２２に圧入又はインサート成型により固定支持され、他端部が前記右側壁部２２の内側面後部からハウジング１１の内部に露呈され、固定接触部９１に形成されている。可動接片９３は導電性を有する金属薄板からなり、一端側が前記右側壁部２２と後側壁部２３との角部に圧入又はインサート成型により固定支持され、他端側が前記固定接触部９１の内側に左右方向に弾性変位自在に延出され、前記固定接触部９１と接離可能な可動接触部９４に形成されている。この片持ち梁状の可動接片９３の可動接触部９４を含む自由側端部は、頂部が前記スライド部材５０の移動領域に張り出し、所定のカード装着位置に保持された前記スライド部材５０によって可動接片９３の自由側部を外側（右側）に弾性変位させ、前記可動接触部９４を固定接触部９１に接触保持するように山形の操作部９５に形成されている。各接片９０，９３には前記底板部２１の裏面に略面一に露出され、前記基板に対する半田付け用の脚部９２，９６が設けられている。
【００１８】
そして、前記ハウジング１１の前記スライド部材５０と反対側の側面部における前記カード挿入口１０側に寄った位置、即ち前記左側面部３３における前側に寄った位置には、前記カード１が表裏逆に誤挿入され、前記ハウジング１１内の前記スライド部材５０と反対側に位置する前記カード１の切り欠き部２によって作られる隙間をなくすように前記カード１が傾いた場合に、前記カード１の先端部の切り欠き部２の側の角部（前記カード１の切り欠き部２を有する一側面と、前記カード１の先端面とによって作られた前記カード１の角部）と係合して前記カード１の挿入を阻止する誤挿入防止手段として、前記カード１の先端部の切り欠き部２の側の角部が嵌り込む貫通孔３７を開設している（図７参照）。ここで、貫通孔３７は上部が前記天板部３１に掛かり、下部が前記底板部２１の左側端面に掛かるように開設され、前記カード１の先端部の切り欠き部２の側の角部がスムースに嵌り込むことができるようになっている。前記底板部２１の左側端面には貫通孔３７の下部に嵌り込む係合爪２６が設けられ、この貫通孔３７をハウジング本体２０にカバー３０を固定するための前記係合孔３５として兼用するようにしている。
【００１９】
上記のように構成されたカードコネクタは、前記基板に表面実装され、カバー３０の各脚部３６と各コンタクト４０の脚部４１と各接片９０，９３の脚部９２，９６とが前記基板の所定のランドに半田付けされて固着され、電気的に接続された状態で使用される。ここで、カバー３０の全て又はいくつかの脚部３６は前記基板のアース用ランドに対して半田付けされ、人からの静電気をカバー３０を通じてアースに逃がし、前記基板に実装された各種電子部品等の静電破壊を防止するようになっている。
【００２０】
次に、上記のように構成されたカードコネクタにカード１が挿入された場合の動作について説明する。先ずカード１が正規挿入、即ちカード１の裏面を下にして、カード１の幅の小さい先端部からカード挿入口１０を通してハウジング１１の内部に挿入された場合について説明し、続いてカード１が誤挿入、ここではカード１が表裏逆に誤挿入、即ちカード１の裏面を上にして、カード１の幅の小さい先端部からカード挿入口１０を通してハウジング１１の内部に挿入された場合について説明する。
【００２１】
図４は本発明の実施の形態に係るカードコネクタにカードが正規挿入された場合の挿入初期の状態を示す平面図、図５は本発明の実施の形態に係るカードコネクタにカードが正規挿入されて最押し込み位置まで押し込まれた状態を示す平面図、図６はカードコネクタにカードが正規挿入されて装着された状態を示す平面図である。図４〜図６に示すように、カード１が正規挿入、即ちカード１の裏面を下にして、カード１の幅の小さい先端部からカード挿入口１０を通してハウジング１１の内部に挿入されると、ハウジング１１内のスライド部材５０の側（右側）にカード１の切り欠き部２が位置するので、カード１の切り欠き部２にスライド部材５０の張り出し部５１が嵌り込みながら、カード１の幅の小さい先端部が、スライド部材５０の受け止め部５２にカード１の先端面が当接するまで、スライド部材５０の張り出し部５１と前記左側面部３３との間に嵌り込む。またこの挿入初期において、カード１の切り欠き部２がハーフロックバネ８０の係合部８１を通過する際、ハーフロックバネ８０の係合部８１はハーフロックバネ８０の外側（右側）への弾性変位を伴ってカード１の切り欠き部２と係合溝３との間の側面に乗り上がり、スライド部材５０の受け止め部５２がカード１の先端面との当接によりカード１を受け止めるのと略同時に、カード１の係合溝３がハーフロックバネ８０の係合部８１に対向し、ハーフロックバネ８０の係合部８１がハーフロックバネ８０の内側（左側）への弾性復帰を伴ってカード１の係合溝３に嵌り込む。これにより、カード１とスライド部材５０とがカード挿抜方向で係合され、カード１にハーフロックが掛けられる（図４参照）。
【００２２】
上記挿入初期の状態からさらにカード１がハウジング１１内の奥側に挿入されると、スライド部材５０の受け止め部５２がカード１の先端面でカード挿入方向（後方）へ押圧され、スライド部材５０がコイルバネ６０の付勢力に抗してカード１の挿入に追従しながら初期位置からハウジング１１内の奥側へと押し込まれる。これにより、カード１は先端面が前記後側壁部２３に突き当たる最押し込み位置まで押し込まれ、スライド部材５０は後端面が前記後側壁部２３に突き当たるカード挿入方向の移動終端位置である最押し込み位置まで押し込まれる（図５参照）。
【００２３】
上記最押し込み状態で、カード１の押し込み力を解除すると、スライド部材５０がコイルバネ６０の付勢力により最押し込み位置からカード排出方向へ押し戻され、これに伴ってカード１も最押し込み位置からカード排出方向へ押し戻される。このスライド部材５０の初期位置からの一連の動作により、カムピン７１の他端側折り曲げ部がカム溝７０の一端側起点部７０ａから往路７０ｂを通過して他端側係止部７０ｃに導入係止され、スライド部材５０のカード排出方向への移動が最押し込み位置より少し手前のカード装着位置にて規制され、スライド部材５０がハウジング本体２０に対してロックされる。これにより、スライド部材５０とカード挿抜方向で係合されているカード１はカード装着位置に保持され、カード１の各接続端子４と各コンタクト４０の接触部４２とが接触保持されて電気的に接続され、カード装着状態となる（図６参照）。
【００２４】
上記カード装着状態において、機器側電子回路とカード１に内蔵される電子回路とが各コンタクト４０を通じて電気的に接続され、両者の間で信号の送受が行えるようになる。
【００２５】
上記カード装着状態でカード１の押し込み操作を行うことにより、カード１とスライド部材５０が共に再び最押し込み位置へ押し込まれる。このスライド部材５０の動作により、カムピン７１の他端側折り曲げ部が、カム溝７０の係止部７０ｃから離脱して復路７０ｄに導入され、スライド部材５０のカード装着位置でのロックが解除される。この時点でカード１の押し込み力を解除することにより、スライド部材５０はコイルバネ６０の付勢力により最押し込み位置からカード排出方向へ押し戻されて初期位置へと復帰し、スライド部材５０とカード挿抜方向で係合されているカード１が排出（イジェクト）されて挿入初期の位置に保持される。この挿入初期の位置まで排出されたカード１は、カード挿入口１０からハウジング１１の外側に突出している端部を指で摘んで引っ張ることにより、ハーフロックバネ８０の係合部８１がハーフロックバネ８０の外側への弾性変位を伴ってカード１の係合溝３から抜け出してカード１の切り欠き部２と係合溝３との間の側面に乗り上がり、カード１のハーフロックが解除され、ハウジング１１内からカード挿入口１０を通して抜き去ることができる。
【００２６】
図７は本発明の実施の形態に係るカードコネクタにカードが表裏逆に誤挿入された場合の挿入初期の状態を示す平面図である。図７に示すように、カード１が表裏逆に誤挿入、即ちカード１の裏面を上にして、カード１の幅の小さい先端部からカード挿入口１０を通してハウジング１１の内部に挿入されると、ハウジング１１のスライド部材５０と反対側（左側）にカード１の切り欠き部２が位置するので、カード１の先端部の切り欠き部２と反対側（右側）の角部における先端面がスライド部材５０の張り出し部５１における前端面と当接して引っ掛かる。一方、カード１の先端部の切り欠き部２の側（左側）には前記左側壁部３３との間で隙間が作られる。この状態では、カード１はスライド部材５０を真っ直ぐにハウジング１１の内部奥側に押すことができず、カード１の先端部の切り欠き部２と反対側（右側）の角部がスライド部材５０の張り出し部５１から左側に滑り落ち、スライド部材５０の張り出し部５１と前記左側壁部３３との間に斜めに落ち込こんでしまう。これにより、カード１は先端部が前記隙間をなくすように左側に振られて全体的に傾くのである。
【００２７】
そして、上記のようにカード１が表裏逆に誤挿入され、前記ハウジング１１内の前記スライド部材５０と反対側に位置する前記カード１の切り欠き部２によって作られる隙間をなくすように前記カード１が傾くと、前記カード１の先端部の切り欠き部２の側の角部が前記左側面部３３における前側に寄った位置に開設された貫通孔３７に嵌り込む。これにより、カード１の先端部の切り欠き部２の側の角部における先端面が貫通孔３７の開口後側縁とカード挿入方向で係合し、カード１の挿入初期にカード１の挿入が阻止される。
【００２８】
したがって、カード１は傾いた状態でそのまま挿入されることがないために、カード１の先端部の切り欠き部２の側の角部が前記左側壁部３３に押し当てられ、またカード１の切り欠き部２と反対側の側面部がカード挿入口１０のスライド部材５０の側の開口側縁（右側縁）に押し当てられた状態で、カード１がハウジング１１に噛み込んでしまうのを防止することができる。また、カード１の切り欠き部２の側の側面部までカード挿入口１０のスライド部材５０と反対側の開口側縁（左側縁）に押し当てられ、カード１がハウジング１１のカード挿入口１０でも噛み込んでしまうのも防止することができる。
【００２９】
上記のようにカード１が表裏逆に誤挿入されて傾いた場合でも、このカード１がハウジング１１に噛み込むことがなく、カード１やカードコネクタに与えるダメージを最小限に抑えることができ、またこのカード１をほとんど力をかけずにハウジング１１から容易に引っ張り出すことができる。
【００３０】
ここで、カード１が上記のように正規挿入された場合には、ハウジング１１内のスライド部材５０の側にカード１の切り欠き部２が位置するので、カード１の先端部の切り欠き部２と反対側の側面部は挿入開始時点から前記左側壁部３３の内側面に摺接し、またカード１の切り欠き部２の側の側面部は挿入開始直後の挿入初期からスライド部材５０の張り出し部５１の内側面に摺接し、カード１をカード挿入方向に真っ直ぐに挿入案内するので、カード１の先端部の切り欠き部２と反対側の角部が前記貫通孔３７に嵌り込むことはなく、前記貫通孔３７は正規挿入されたカード１には何ら影響を与えず、正常なカード挿抜を行うことができる。
【００３１】
カード１が正規挿入された場合にカード１の先端部の切り欠き部２と反対側の角部が確実に嵌り込むことがなく、カード１が表裏逆に誤挿入され、前記ハウジング１１内の前記スライド部材５０と反対側に位置する前記カード１の切り欠き部２によって作られる隙間をなくすように前記カード１が傾いた場合に、カード１がハウジング１１に噛み込む前に、前記カード１の先端部の切り欠き部２の側の角部が嵌り込む貫通孔３７の開設位置としては、前記左側面部３３におけるスライド部材５０の張り出し部５１の前端部と対向する位置が最も確実で好ましい。
【００３２】
ところで、上記のように前記カード１が表裏逆に誤挿入され、前記ハウジング１１内の前記スライド部材５０と反対側に位置する前記カード１の切り欠き部２によって作られる隙間をなくすように前記カード１が傾いた場合に、前記カード１の先端部の切り欠き部２の側の角部と係合して前記カード１の挿入を阻止する誤挿入防止手段が、前記ハウジング１１の前記スライド部材５０と反対側の側面部における前記カード挿入口１０側に寄った位置、即ち前記左側面部３３における前側に寄った位置に開設した貫通孔３７でなるので、一端が閉じられた溝のように、深さが浅いと確実な係合が得られず、深さを深くして確実な係合を得るためには、ハウジングのスライド部材と反対側の側面部の厚さを厚くする必要があり、カードコネクタの大型化を招くという不都合がない。
【００３３】
また、前記貫通孔３７を設ける前記ハウジング１１の前記スライド部材５０と反対側の側面部は、樹脂製のハウジング本体２０に被着する金属製のカバー３０の左側壁部３３で形成したので、貫通孔３７の開口縁、即ち金属破断面にてカード１を受け止めることになり、カード１を受け止める部分が小さな面積であっても、十分な強度を得ることができる。
【００３４】
さらに、前記貫通孔３７はハウジング本体２０にカバー３０を固定するための前記係合孔３５、即ち固定手段として兼用するので、ハウジング本体２０とカバー３０の結合部分、即ちハウジング１の強度的に強い部分でカード１を受け止めることになり、ハウジング１を変形させることもない。
【図面の簡単な説明】
【００３５】
【図１】本発明の実施の形態に係るカードコネクタの外観を示す斜視図である。
【図２】本発明の実施の形態に係るカードコネクタの内部構造を示す断面図である。
【図３】本発明の実施の形態に係るカードコネクタの内部構造を示す平面図である。
【図４】本発明の実施の形態に係るカードコネクタにカードが正規挿入された場合の挿入初期の状態を示す平面図である。
【図５】本発明の実施の形態に係るカードコネクタにカードが正規挿入されて最押し込み位置まで押し込まれた状態を示す平面図である。
【図６】カードコネクタにカードが正規挿入されて装着された状態を示す平面図である。
【図７】本発明の実施の形態に係るカードコネクタにカードが表裏逆に誤挿入された場合の挿入初期の状態を示す平面図である。
【図８】本発明の実施の形態に係るカードコネクタに使用されるカードを示し、（Ａ）は表面図、（Ｂ）は側面図、（Ｃ）は裏面図である。
【符号の説明】
【００３６】
１  カード
２  切り欠き部
１０  カード挿入口
１１  ハウジング
２０  ハウジング本体
３０  カバー
３３  左側壁部
３７  貫通孔（誤挿入防止手段）
５０  スライド部材
５１  張り出し部
【図１】
0004585963.tif 000002
【図２】
0004585963.tif 000003
【図３】
0004585963.tif 000004
【図４】
0004585963.tif 000005
【図５】
0004585963.tif 000006
【図６】
0004585963.tif 000007
【図７】
0004585963.tif 000008
【図８】
0004585963.tif 000009